(57)【要約】【課題】  複数の部材を接合するための接合金物であって、剛な接合構造を実現することが可能な接合金物を提供すること。【解決手段】  長さの等しい二辺によって形成された角部を少なくとも一つ備える断面多角形の中空部３１と、前記角部の外側に形成された連結片３２とを有し、中空部３１が第一部材たる柱材１０Ａ，１０Ｂに外嵌され、第二部材たる梁材２０が連結片３２に接続される接合金物において、連結片３２を中空部３１の角部の内角の二等分線上に形成する。【選択図】      図２
2005213891.tif 000002
【特許請求の範囲】
【請求項１】
長さの等しい二辺によって形成された角部を少なくとも一つ備える断面多角形の中空部と、前記角部の外側に形成された連結片とを有し、前記中空部が第一部材に外嵌され、第二部材が前記連結片に接続される接合金物であって、
前記連結片が前記角部の内角の二等分線上に形成されていることを特徴とする接合金物。
【請求項２】
前記第一部材は、前記中空部が外嵌される嵌合部と当該嵌合部に連続する本体部とを有し、
前記中空部の内面形状が前記嵌合部の外面形状と同一であることを特徴とする請求項１に記載の接合金物。
【請求項３】
前記中空部は、二つの前記第一部材の境界部分に介設され、
前記中空部の一方の開口側が一方の前記第一部材の嵌合部に外嵌され、前記中空部の他方の開口側が他方の前記第一部材の嵌合部に外嵌され、
前記中空部が前記両第一部材の嵌合部に外嵌されたときに、前記両第一部材の嵌合部同士が当接することを特徴とする請求項２に記載の接合金物。
【請求項４】
前記第一部材の嵌合部は、前記本体部の端部を切削加工してなることを特徴とする請求項２又は請求項３に記載の接合金物。
【請求項５】
前記中空部の周囲に前記第一部材の本体部の外面形状と同一形状の装飾部を有していることを特徴とする請求項２乃至請求項４のいずれか一項に記載の接合金物。
【請求項６】
前記第一部材が柱材であり、前記第二部材が梁材又は桁材であることを特徴とする請求項１乃至請求項５のいずれか一項に記載の接合金物。
【請求項７】
長さの等しい二辺によって形成された角部を少なくとも二つ備える断面多角形の中空部と、前記各角部の外側に形成された少なくとも二つの連結片とを有し、前記中空部に中詰部材が嵌挿され、横架材の端部が前記各連結片に接続される接合金物であって、
前記各連結片が前記角部の内角の二等分線上に形成されていることを特徴とする接合金物。
【請求項８】
前記中空部は、その断面形状が等辺多角形であることを特徴とする請求項１乃至請求項７のいずれか一項に記載の接合金物。
【請求項９】
前記中空部は、その断面形状が正方形又は菱形であることを特徴とする請求項１乃至請求項７のいずれか一項に記載の接合金物。
【請求項１０】
請求項１乃至請求項９のいずれか一項に記載の接合金物であって、アルミニウム合金製の押出形材からなることを特徴とする接合金物。
【発明の詳細な説明】
【技術分野】
【０００１】
本発明は、複数の部材を接合するための接合金物に関する。
【背景技術】
【０００２】
柱材と横架材（梁材、桁材等）との接合構造として、図１１に示すように、柱材１１０Ａ，１１０Ｂと梁材１２０とを接合金物１３０を介して接合してなるものが知られている（特許文献１参照）。この接合構造の接合金物１３０は、断面角形の中空部１３１と、この中空部１３１の側板１３１ａに突設された連結片１３２とを有しており、中空部１３１が柱材１１０Ａ，１１０Ｂの端部に外嵌され、連結片１３２が梁材１２０の端部に接続される。
【０００３】
【特許文献１】特開平８−２８４２５０号公報（全頁）
【発明の開示】
【発明が解決しようとする課題】
【０００４】
ところで、横架材１２０に作用した荷重を柱材１１０に有効に伝達させるためには、柱材１１０と横架材１２０との接合部分を剛にする必要があるところ、横架材１２０を連結片１３２に剛に接合したとしても、図１２に示すように、横架材１２０に作用した荷重に起因して連結片１３２に引張力Ｆが作用し、中空部１３１の側板１３１ａが変形してしまうため、当該接合部分を完全な剛接合とすることができず、実質的にはピン接合に近いものになってしまう。すなわち、かかる接合構造を利用してラーメン構造を形成したとしても、実際には完全なラーメン構造にはならず、力学的に不安定なものになってしまう。
【０００５】
また、かかる問題は、柱と横架材との接合構造のみならず、横架材同士の接合構造にも同様に当てはまるといえる。
【０００６】
そこで、本発明は、複数の部材を接合するための接合金物であって、剛な接合構造を実現することが可能な接合金物を提供することを課題とする。
【課題を解決するための手段】
【０００７】
このような課題を解決するために創案された請求項１の発明は、長さの等しい二辺によって形成された角部を少なくとも一つ備える断面多角形の中空部と、前記角部の外側に形成された連結片とを有し、前記中空部が第一部材に外嵌され、第二部材が前記連結片に接続される接合金物であって、前記連結片が前記角部の内角の二等分線上に形成されていることを特徴とする。
【０００８】
かかる接合金物によると、連結片に引張力が作用したときに、中空部の変形が極めて小さくなることから、結果として第一部材と第二部材との剛接合を実現することができる。すなわち、連結片が中空部の角部の内角の二等分線上に形成されているので、連結片に引張力が作用すると、当該引張力は中空部の角部を形成する二辺を構成する板に作用し、その結果、当該角部に隣接する他の角部が中空部の内側に向かって変形しようとするが、中空部が第一部材に外嵌されているが故に、第一部材が支えとなって中空部の変形が抑制される。ここで、第一部材は、主として柱材、床束、小屋束など鉛直に立設される部材であるが、これに限定されることはない。また、第二部材は、第一部材と軸線方向を異にする部材であり、例えば第一部材が柱材であれば、当該柱材と軸線方向を異にする梁材などが第二部材となる。
【０００９】
請求項２の発明は、請求項１に記載の接合金物であって、前記第一部材は、前記中空部が外嵌される嵌合部と当該嵌合部に連続する本体部とを有し、前記中空部の内面形状が前記嵌合部の外面形状と同一であることを特徴とする。
【００１０】
かかる接合金物によると、中空部と第一部材の嵌合部との間に隙間がなくなるので、引張力の作用する角部に隣接する他の角部同士が近づくような変形が防止される。
【００１１】
請求項３の発明は、請求項２に記載の接合金物であって、前記中空部は、二つの前記第一部材の境界部分に介設され、前記中空部の一方の開口側が一方の前記第一部材の嵌合部に外嵌され、前記中空部の他方の開口側が他方の前記第一部材の嵌合部に外嵌され、前記中空部が前記両第一部材の嵌合部に外嵌されたときに、前記両第一部材の嵌合部同士が当接することを特徴とする。
【００１２】
かかる接合金物によると、中空部の内部が二つの第一部材の嵌合部によって完全に密実になるので、中空部が変形し難くなる。
【００１３】
請求項４の発明は、請求項２又は請求項３に記載の接合金物であって、前記第一部材の嵌合部は、前記本体部の端部を切削加工してなることを特徴とする。
【００１４】
かかる接合金物によると、第一部材のうち嵌合部のみを中空部の断面形状に合わせて加工すればよいので、第一部材の本体部の寸法形状の自由度が増す。
【００１５】
請求項５の発明は、請求項２乃至請求項４のいずれか一項に記載の接合金物であって、前記中空部の周囲に前記第一部材の本体部の外面形状と同一形状の装飾部を有していることを特徴とする。
【００１６】
かかる接合金物によると、第一部材の本体部と装飾部とが面一になるので、美観を損ねることがなく、また、壁材その他の部材を取り付ける際に、この接合金物が邪魔になることもない。
【００１７】
請求項６の発明は、請求項１乃至請求項５のいずれか一項に記載の接合金物であって、前記第一部材が柱材であり、前記第二部材が梁材又は桁材であることを特徴とする。
【００１８】
かかる接合金物によると、柱材と梁材又は桁材とを剛に接合することが可能となる。すなわち、この接合金物を利用して構築した構造物は、仕口や継手などの部材同士の接合部が剛に接合されることになるので、完全なラーメン構造となる。例えば、従来の木造軸組構造では、接合部が完全な剛接合ではなかったので、耐震上、筋違などの補強部材を必要としたが、本発明に係る接合金物を木造軸組構造等に採用すれば、接合部が剛になるので、筋違などの補強部材を配置しなくとも、耐震性能の高い構造物を容易に構築することが可能となる。また、この接合金物を利用した構造物は、筋違などの補強部材が不要となるので、開口部を大きくとることが可能となる。
【００１９】
請求項７の発明は、長さの等しい二辺によって形成された角部を少なくとも二つ備える断面多角形の中空部と、前記各角部の外側に形成された少なくとも二つの連結片とを有し、前記中空部に中詰部材が嵌挿され、横架材の端部が前記各連結片に接続される接合金物であって、前記各連結片が前記角部の内角の二等分線上に形成されていることを特徴とする。
【００２０】
かかる接合金物によると、連結片に引張力が作用したときに、中空部の変形が極めて小さくなることから、結果として横架材同士の剛接合を実現することができる。すなわち、連結片が中空部の角部の内角の二等分線上に形成されているので、連結片に引張力が作用すると、当該引張力は中空部の角部を形成する二つの引張板に作用し、その結果、当該角部に隣接する他の角部が中空部の内側に向かって変形しようとするが、中空部に中詰部材が嵌挿されているが故に、当該中詰部材が圧縮部材となって中空部の変形が防止される。ここで、横架材とは、主として梁材や桁材など水平に配置された部材のことをいうが、垂木など傾斜して配置される部材をも含む。
【００２１】
請求項８の発明は、請求項１乃至請求項７のいずれか一項に記載の接合金物であって、前記中空部は、その断面形状が等辺多角形であることを特徴とする。
【００２２】
かかる接合金物によると、中空部の総ての角部に連結片を設けることが可能になるので、接合金物としての汎用性が向上する。
【００２３】
請求項９の発明は、請求項１乃至請求項７のいずれか一項に記載の接合金物であって、前記中空部は、その断面形状が正方形又は菱形であることを特徴とする。
【００２４】
かかる接合金物によると、中空部に設ける連結片を角部の二等分線上に形成しやすくなるため、接合金物の製造が容易になる。
【００２５】
請求項１０の発明は、請求項１乃至請求項９のいずれか一項に記載の接合金物であって、アルミニウム合金製の押出形材からなることを特徴とする。
【００２６】
かかる接合金物によると、湿気による腐食等により寸法が変化することがないので、緩みやがたつきが生じ難い接合構造を構築することが可能となる。
【発明の効果】
【００２７】
本発明に係る接合金物によると、複数の部材を剛に接合することが可能となり、その結果、緩みやがたつきのない構造物を構築することが可能となる。したがって、例えば木造建築物であれば、筋違等の補強部材を大幅に削減することが可能となる。
【００２８】
また、中空部の周囲に装飾部を設けた場合には、接合部分において第一部材等との外見上の差を無くすことが可能となり、さらに、外見上の差が無いながらも非常に強固な構造体を構築することが可能となる。
【発明を実施するための最良の形態】
【００２９】
以下、本発明を実施するための最良の形態を、添付した図面を参照しつつ詳細に説明する。
【００３０】
本実施形態に係る接合金物３０は、図１に示すように、第一部材たる柱材１０Ａ，１０Ｂと、この柱材１０Ａ，１０Ｂと軸線方向を異にする第二部材たる梁材２０とを接合するものである。ここで、柱材１０Ａは下階側の管柱であり、柱材１０Ｂは上階側の管柱である。
【００３１】
柱材１０Ａは、木製であり、図２に示すように、正四角柱を呈する嵌合部１１Ａと、この嵌合部１１Ａの下側に連続する断面正方形の本体部１２Ａとを備えて構成されている。換言すれば、柱材１０Ａは、柱状の本体部１２Ａと、この本体部１２Ａの上端面に突設された嵌合部１１Ａとを備えて構成されている、といえる。また、図３（ａ）に示すように、嵌合部１１Ａは、その角部の内角１１ａの二等分線１１ｂが本体部１２Ａの辺（側面）１２ａと直交するように本体部１２Ａの端部を切削加工することにより形成される。この結果、嵌合部１１Ａの内角１１ａの二等分線１１ｂは、梁材２０（図２参照）の長手方向に沿うことになる。
【００３２】
柱材１０Ｂは、図２に示すように、嵌合部１１Ｂと、この嵌合部１１Ｂの上側に連続する断面正方形の本体部１２Ｂとを備えて構成されている。換言すれば、柱材１０Ｂは、柱状の本体部１２Ｂと、この本体部１２Ｂの下端面に突設された嵌合部１１Ｂとを備えて構成されている、といえる。なお、嵌合部１１Ｂの構成は、柱材１０Ａの嵌合部１１Ａと同様であるのでその詳細な説明は省略する。
【００３３】
なお、柱材１０Ａ，１０Ｂは、木製のものに限らず、アルミニウム合金製の押出形材や鋼管等を利用したものであっても差し支えない。また、本実施形態に係る柱材１０Ａ（１０Ｂ）は、嵌合部１１Ａ（１１Ｂ）と本体部１２Ａ（１２Ｂ）とが一体に形成されているが、両者が強固に一体化されていれば別部材で形成されているものであっても差し支えない。
【００３４】
梁材２０は、図２に示すように、二本のリップ溝形鋼２１，２１を組み合わせたものである。リップ溝形鋼２１の端部には、ボルト挿通孔２１ａ，２１ａが上下に並んで形成されている。なお、梁材２０は、図示のものに限定されることはなく、例えば、一本のＨ形鋼やＩ形鋼であってもよく、あるいは後記する接合金物３０の連結片３２が挿入可能なスリットを端部に有する木材やアルミニウム合金製の押出形材であっても差し支えない。
【００３５】
接合金物３０は、図２に示すように、断面形状が正方形（等辺多角形）を呈する中空部３１と、この中空部３１の角部の外側に形成された連結片３２と、中空部３１の周囲に形成された角筒状の装飾部３３とを備えて構成されており、中空部３１が柱材１０Ａ，１０Ｂの嵌合部１１Ａ，１１Ｂに外嵌され、梁材２０が連結片３２に接続される。また、接合金物３０は、アルミニウム合金製の押出形材からなり、その高さ寸法は、図４に示すように、柱材１０Ａの嵌合部１１Ａの高さ寸法と柱材１０Ｂの嵌合部１１Ｂの高さ寸法とを合わせたものと同じにされている。
【００３６】
中空部３１は、幅寸法が等しい四枚の引張板３１ｃで角筒状に形成されており、その内面形状が柱材１０Ａ，１０Ｂの嵌合部１１Ａ，１１Ｂの外面形状と同一である。すなわち、中空部３１は、柱材１０Ａ，１０Ｂの嵌合部１１Ａ，１１Ｂに外嵌可能に形成されており、中空部３１を嵌合部１１Ａ，１１Ｂに外嵌すると、中空部３１の内部が密実になり、後記するトラス機構Ｔ（図５参照）が形成される。言い換えれば、中空部３１は、二つの柱材１０Ａ，１０Ｂの境界部分に介設され、中空部３１の一方の開口側（下半分）が一方（下側）の柱材１０Ａの嵌合部１１Ａに外嵌され、中空部３１の他方の開口側（上半分）が他方（上側）の柱材１０Ｂの嵌合部１１Ｂに外嵌される。また、中空部３１が柱材１０Ａ，１０Ｂの嵌合部１１Ａ，１１Ｂに外嵌されたときに、柱材１０Ａの嵌合部１１Ａの上端面と柱材１０Ｂの嵌合部１１Ｂの下端面とが当接する（図４参照）。なお、図３（ｂ）に示すように、中空部３１の角部３１ｄは、隣接する引張板３１ｃ，３１ｃの交点（境界部分）であり、換言すれば、接合金物３０を平面視（断面視）したときに、長さの等しい隣り合う二辺によって形成される部位である。本実施形態では、四枚の引張板３１ｃの幅寸法が総て等しいので、中空部３１は、長さの等しい二辺によって形成される角部３１ｄを四つ備えていることになる。
【００３７】
連結片３２は、中空部３１の角部の外側に突設されており、その略中央部にリップ溝形鋼２１のボルト挿通孔２１ａ，２１ａと対応するボルト挿通孔３２ａ，３２ａが上下に並んで形成されている。また、図３（ｂ）に示すように、連結片３２は、中空部３１の内角３１ａの二等分線３１ｂ上に形成されており、中空部３１を柱材１０Ａ，１０Ｂの嵌合部１１Ａ，１１Ｂに外嵌すると、本体部１２Ａ，１２Ｂの側面に対して垂直に配置されることになる（図１参照）。なお、本実施形態では、中空部３１の四つの角部３１ｄの総てに連結片３２を形成したが、これに限定されることはなく、梁材２０が接続される方向にのみ連結片３２を形成しても勿論よい。
【００３８】
装飾部３３は、図１に示すように、柱材１０Ａ，１０Ｂの本体部１２Ａ，１２Ｂの外面形状と同一の外面形状を有しており、中空部３１を柱材１０Ａ，１０Ｂの嵌合部１１Ａ，１１Ｂに外嵌したときに、本体部１２Ａ，１２Ｂと面一になる。なお、装飾部３３は、積極的に荷重を負担するものではないので、その寸法形状を比較的自由に設定することが可能であり、それ故に、「装飾」としての役割だけでなく、構造材や仕上材の取付作業に便宜な種々の役割を持たせることができる。例えば、装飾部３３に直交する二面を形成しておけば、構造材や仕上材の取付作業時においてその位置合わせ等に便利である。
【００３９】
次に、本実施形態に係る接合金物３０を利用した接合構造の構築方法の一例を説明する。この接合構造を構築するには、図２に示すように、まず、下階側の柱材１０Ａを土台（図示せず）等に立設したうえで、その嵌合部１１Ａに接合金物３０の中空部３１を外嵌し、次に、上階側の柱材１０Ｂの嵌合部１１Ｂを接合金物３０の中空部３１に嵌挿し、その後、梁材２０を接合金物３０の連結片３２に接続すればよい。ここで、梁材２０を接合金物３０の連結片３２に接続するには、梁材２０を構成する二本のリップ溝形鋼２１，２１で接合金物３０の連結片３２を挟持したうえで、リップ溝形鋼２１のボルト挿通孔２１ａ，２１ａおよび連結片３２のボルト挿通孔３２ａ，３２ａにボルトＢ，Ｂを挿通し、ナットＮ，Ｎで締結すればよい。
【００４０】
なお、接合構造の構築方法は、前記したものに限定されることはなく、適宜変更しても差し支えない。例えば、接合金物３０の連結片３２に梁材２０を接続したうえで、接合金物３０の中空部３１を柱材１０Ａの嵌合部１１Ａに外嵌し、その後、柱材１０Ｂの嵌合部１１Ｂを接合金物３０の中空部３１に嵌挿する、という手順で接合構造を構築してもよい。
【００４１】
本実施形態に係る接合金物３０は以上のように構成されており、図５に示すように、梁材２０の端部付近に発生した曲げモーメントＭ（図１参照）に起因して、あるいは柱材１０Ａ，１０Ｂ（図２参照）や梁材２０に作用した水平荷重に起因して連結片３２に発生した引張力Ｆにより、中空部３１の角部３１ｄを形成する二つの引張板３１ｃ，３１ｃのそれぞれに力ＦＴ，ＦＴが発生し、同時に、角部３１ｄに隣接する他の角部３１ｄ’，３１ｄ’を互いに近寄らせて変形させようとする力ＦＣ，ＦＣが発生するが、中空部３１が柱材１０Ａ，１０Ｂ（図２参照）の嵌合部１１Ａ，１１Ｂに外嵌され、中空部３１の内部が嵌合部１１Ａ，１１Ｂによって密実にされているが故に、嵌合部１１Ａ，１１Ｂが支えとなって中空部３１の変形が抑制されることになる。
【００４２】
別の見方をすれば、接合金物３０の連結片３２に作用した引張力Ｆに起因して、柱材１０Ａ，１０Ｂ（図２参照）の嵌合部１１Ａ，１１Ｂには、中空部３１の角部３１ｄの隣りに位置する角部３１ｄ’，３１ｄ’を結ぶ領域Ｐ（以下、「圧縮場Ｐ」という）に力ＦＣが作用することになるが、このことは、引張板３１ｃ，３１ｃと圧縮場Ｐとにより二等辺三角形を呈するトラス機構Ｔが形成され、このトラス機構Ｔによって引張力Ｆが支持されることを意味する。すなわち、中空部３１の引張板３１ｃの曲げ剛性で引張力Ｆに対抗するのではなく、嵌合部１１Ａ，１１Ｂとともにトラス機構Ｔを形成して引張力Ｆに対抗するが故に、中空部３１の変形が極めて小さくなるのである。
【００４３】
なお、図１に示すように、梁材２０の端部付近に矢印方向の曲げモーメントＭが発生する場合には、接合金物３０の連結片３２には、この曲げモーメントＭに起因して引張力Ｆの他に圧縮力Ｆ’が作用することになるが、この圧縮力Ｆ’に対しては中空部３１に嵌挿された嵌合部１１Ａ（１１Ｂ）が抵抗し、中空部３１の変形を抑制する。すなわち、図６に示すように、連結片３２に圧縮力Ｆ’が作用すると、中空部３１の角部３１ｄ，３１ｄ”を結ぶ領域に圧縮場Ｐ’が形成されることになる。
【００４４】
このように、接合金物３０は、梁材２０の曲げモーメントＭに起因する引張力Ｆおよび圧縮力Ｆ’が作用する場合であっても、引張力Ｆに対しては、その作用方向に直交する方向に引張力Ｆに抵抗するための圧縮場Ｐを形成して抵抗し、圧縮力Ｆ’に対しては、その作用方向に沿って圧縮力Ｆ’に抵抗するための圧縮場Ｐ’を形成して抵抗するので、その中空部３１の変形が極めて小さいものとなる。
【００４５】
そして、中空部３１の変形が極めて小さいということは、柱材１０Ａ，１０Ｂと梁材２０とが剛に接合されているということを意味する。すなわち、本実施形態に係る接合金物３０によれば、柱材１０Ａ，１０Ｂと梁材２０とを剛に接合することが可能となり、その結果、梁材２０に作用した曲げモーメント等を柱材１０Ａ，１０Ｂに伝達することが可能となる。
【００４６】
また、図５に示すように、連結片３２が中空部３１の角部３１ｄの内角の二等分線上に形成されているので、連結片３２に作用した引張力Ｆは中空部３１の引張板３１ｃ，３１ｃのそれぞれに力ＦＴ，ＦＴとして均等に作用することになる。すなわち、連結片３２に作用した引張力Ｆをバランスよく分散させることができるので、力学的に安定した接合構造を実現することができる。
【００４７】
また、柱材１０Ａ，１０Ｂの嵌合部１１Ａ，１１Ｂに接合金物３０の中空部３１が密実に外嵌されているが故に、柱材１０Ａ，１０Ｂ同士の接合も剛なものとなり、その結果、柱材１０Ａ，１０Ｂが通し柱と同等の機能を発揮することになる。
【００４８】
なお、本実施形態に係る接合金物３０の中空部３１は、その内面の全部が柱材１０Ａ，１０Ｂの嵌合部１１Ａ，１１Ｂの外面に当接するように形成されているが、必ずしも内面の全部が嵌合部１１Ａ，１１Ｂの外面に当接する必要はない。例えば、図示は省略するが、引張力Ｆが作用する連結片３２（角部３１ｄ）の隣りに位置する他の角部３１ｄ’，３１ｄ’付近の内面が嵌合部１１Ａ，１１Ｂの外面に当接していれば、嵌合部１１Ａ，１１Ｂに圧縮場Ｐが形成されるので、引張力Ｆに抵抗することが可能であり、同様に、圧縮力Ｆ’（図６参照）が作用する角部３１ｄ付近の内面およびこの角部３１ｄの対角にある角部３１ｄ”付近の内面が嵌合部１１Ａ，１１Ｂの外面に当接していれば、嵌合部１１Ａ，１１Ｂに圧縮場Ｐ’が形成されるので、圧縮力Ｆ’に抵抗することが可能である。
【００４９】
以上、説明したように、本実施形態に係る接合金物３０によれば、柱材１０Ａ，１０Ｂと梁材２０とを剛に接合することが可能となる。そして、かかる接合金物３０を利用して構築した構造物は、柱梁が剛に接合されることになるので、完全なラーメン構造となる。すなわち、かかる接合構造を木造軸組構造等に採用すれば、筋違や頬づえ等の補強部材を配置しなくとも、耐震性能の高い構造物を容易に構築することが可能となる。換言すれば、かかる接合構造を利用した構造物は、筋違や頬づえ等の補強部材を必要としない。
【００５０】
さらに、図１に示すように、接合金物３０は、その装飾部３３が柱材１０Ａ，１０Ｂの本体部１２Ａ，１２Ｂと面一になるので、美観を損ねることがなく、また、壁材その他の部材を取り付ける際に邪魔になることもない。
【００５１】
また、接合金物３０の中空部３１は、その内部に柱材１０Ａ，１０Ｂの嵌合部１１Ａ，１１Ｂが隙間なく充填されるので、非常に変形し難くい。
【００５２】
また、接合金物３０をアルミニウム合金製の押出形材としたので、その製作が容易になり、さらには、その製作精度が高く、且つ、腐食にも強いことから、緩みやがたつきが生じ難い接合構造とすることが可能となる。
【００５３】
なお、本実施形態では、接合金物３０として、図３（ｂ）に示すように、断面形状が正方形を呈する中空部３１とその角部３１ｄの内角３１ａの二等分線３１ｂ上に形成された連結片３２とを有するものを例示したが、これに限定されることはなく、図示は省略するが、中空部の断面形状を菱形や正多角形など等辺多角形（各辺の長さが等しい多角形）とし、当該中空部の内角の二等分線上に連結片を形成してもよい。この場合、柱材の嵌合部の外面形状は、接合金物の中空部の内面形状に対応させたものにする。また、中空部の断面形状は、等辺多角形に限定されることはない。すなわち、中空部の断面形状は、連結片が形成される角部が長さの等しい二辺によって形成されているものであれば、等辺多角形でなくともよく、三角形（図７（ａ）参照）、五角形（図７（ｂ）参照）、六角形など接続される柱材の形状や梁材の本数等に応じて適宜な多角形を選択することができる。例えば、図７（ａ）に示す接合金物３０’のように、中空部３１’の断面形状を二等辺三角形とした場合には、長さの等しい二辺によって形成された角部にのみ連結片３２’を形成し、この一つの連結片３２’のみに梁材２０を接続してもよい。また、図７（ｂ）に示す接合金物３０”のように、中空部３１”の断面形状を五角形とした場合には、長さの等しい二辺によって形成された角部にのみ連結片３２”を形成し、この一つの連結片３２”のみに梁材２０を接続してもよい。なお、連結片が形成されない角部は、長さの等しい二辺によって形成されたものでなくともよい。
【００５４】
また、本実施形態では、図２に示すように、柱材１０Ａ，１０Ｂに嵌合部１１Ａ，１１Ｂを設け、この嵌合部１１Ａ，１１Ｂに接合金物３０の中空部３１を外嵌する構成としたが、これに限定されることはなく、図示は省略するが、柱材に嵌合部を設けずに、本体部に直に接合金物の中空部を外嵌する構成としても勿論よい。
【００５５】
さらに、本実施形態では、下階側の管柱（柱材１０Ａ）と上階側の管柱（柱材１０Ｂ）との境界部分に接合金物３０を配置したが、これに限定されることはなく、図８に示すように、柱材１０Ｂ’の上端に接合金物３０を配置してもよく、さらには、図示は省略するが、通し柱の端部や中間部分に接合金物を配置しても勿論よい。
【００５６】
また、本実施形態では、第一部材が柱材１０Ａ，１０Ｂであり、第二部材が第一部材たる柱材１０Ａ，１０Ｂと直交する梁材２０である場合を例示したが、例えば、図９に示すように、第二部材が第一部材たる柱材１０Ｂ’と斜交する部材２０’であっても勿論よい。すなわち、接合金物３０により、例えば、柱材（第一部材）と筋違（第二部材）とを剛に接合することができる。
【００５７】
なお、図示は省略するが、管柱や通し柱といった柱材に限らず、床束や小屋束などの束材に接合金物３０の中空部３１を嵌挿し、連結片３２に大引や垂木を接続してもよい。
【００５８】
また、本実施形態では、接合金物３０の中空部３１と連結片３２とを利用して柱材１０Ａ，１０Ｂと梁材２０とを接合する場合を例示したが、図１０に示すように、二つの連結片３２，３２を利用して梁材２０，２０同士を接合してもよい。この場合、中空部３１には、その内面形状と同一の外面形状を有する中詰部材４０が嵌挿される。中詰部材４０は、その材質は問わないが内部が密実であることを要する。また、中詰部材４０は、他の部材の一部であっても差し支えなく、例えば、土台や梁材の上面に固定されたものであってもよい。
【００５９】
そして、このような態様で接合金物３０を使用しても、連結片３２に引張力Ｆが作用したときに、中空部３１に中詰部材４０が嵌挿されているが故に、この中詰部材４０が支えとなって中空部３１の変形が抑制され、その結果、中空部３１の変形が極めて小さくなる。すなわち、連結片３２，３２を利用して梁材２０，２０同士を接合した場合であっても、連結片３２に引張力が作用したときに、トラス機構が形成され（図５参照）、中空部３１の変形が極めて小さくなる。換言すれば、接合金物３０により、梁材２０，２０同士が剛に接合されることになる。
【００６０】
なお、図１０において、梁材２０，２０が接続されていない連結片３２，３２にさらに他の梁材２０，２０を接続してもよいことは言うまでもない。
【００６１】
また、中空部の断面形状が等辺多角形に限定されることがないことは、前記したとおりであるが、二以上の連結片を利用して複数の梁材を接合する場合には、中空部が長さの等しい二辺によって形成される角部を少なくとも二つ備えていることを要し、且つ、当該角部に連結片が形成されていることを要する。
【００６２】
また、連結片３２に接続される部材は、梁材２０のように水平に配置される横架材に限定されることはなく、図示は省略するが、垂木など傾斜して配置される横架材であっても差し支えない。例えば、建物の棟部において垂木同士を接合する場合に接合金物３０を使用することも可能である。
【図面の簡単な説明】
【００６３】
【図１】本発明に係る接合金物を使用して構築した接合構造を示す斜視図である。
【図２】同じく分解斜視図である。
【図３】（ａ）は柱材の端面図、（ｂ）は接合金物の端面図である。
【図４】本発明に係る接合金物を使用して構築した接合構造を示す正面図である。
【図５】図４のＸ−Ｘ断面図であって、連結片に引張力が作用した状態を示す図である。
【図６】図４のＹ−Ｙ断面図であって、連結片に圧縮力が作用した状態を示す図である。
【図７】（ａ）は接合金物の変形例を示す断面図、（ｂ）は接合金物の他の変形例を示す断面図である。
【図８】本発明に係る接合金物の使用例を示す正面図である。
【図９】本発明に係る接合金物の他の使用例を示す正面図である。
【図１０】本発明に係る接合金物のさらに他の使用例を示す斜視図である。
【図１１】従来の接合金物を示す分解斜視図である。
【図１２】図１１の断面図であって、連結片に引張力が作用した状態を示す模式図である。
【符号の説明】
【００６４】
１０Ａ，１０Ｂ    柱材
１１Ａ，１１Ｂ    嵌合部
１２Ａ，１２Ｂ    本体部
２０      梁材
３０      接合金物
３１      中空部
３１ｄ    角部
３２      連結片
３３      装飾部
４０      中詰部材
【図１】
2005213891.tif 000003
【図２】
2005213891.tif 000004
【図３】
2005213891.tif 000005
【図４】
2005213891.tif 000006
【図５】
2005213891.tif 000007
【図６】
2005213891.tif 000008
【図７】
2005213891.tif 000009
【図８】
2005213891.tif 000010
【図９】
2005213891.tif 000011
【図１０】
2005213891.tif 000012
【図１１】
2005213891.tif 000013
【図１２】
2005213891.tif 000014